(57)【特許請求の範囲】
【請求項１】
互いに重ねられる上容器と下容器との間に収容空間を形成する容器と、
互いに重なる上容器と下容器のいずれか一方を貫通する貫通部を経由して、これら両容器を連結する封印用ねじと、
前記貫通部内の前記封印用ねじの頭部を臨むように、前記上容器と下容器のいずれか一方に形成された凹部と、
該凹部に挿入されて前記上容器または下容器に連結され、前記貫通部内の前記封印用ねじを覆う封印用キャップと、を具備し、
該封印用キャップの胴体または縁部と前記封印用ねじの頭部とを結ぶ直線と交差する位置に、混合により発熱する薬剤を収容する薬剤収容袋を設け、
前記封印用キャップは、前記薬剤の混合による発熱で軟化する材料により形成されることを特徴とする封印容器。
【請求項２】
前記薬剤収容袋は、前記封印用キャップに接するように配置されることを特徴とする請求項１に記載の封印容器。
【請求項３】
前記薬剤収容袋は、前記封印用キャップの中央に形成された胴体部の外周面に配置されることを特徴とする請求項１又は２のいずれか１項に記載の封印容器。
【請求項４】
前記薬剤収容袋は、前記封印用キャップの中央に形成された中空状の胴体部内に配置されることを特徴とする請求項１又は２のいずれか１項に記載の封印容器。
【請求項５】
前記封印用キャップの胴体部には複数のスリットが形成されることを特徴とする請求項４に記載の封印容器。
【請求項６】
前記薬剤収容袋は、一方の薬剤収容袋の中に他方の薬剤収容袋が収納される二重袋に形成されることを特徴とする請求項４又は５のいずれか１項に記載の封印容器。
【請求項７】
前記封印用キャップには、前記薬剤収容袋を係止するための係止段部が形成されていることを特徴とする請求項１〜６のいずれか１項に記載の封印容器。
【請求項８】
前記上容器および前記下容器のいずれか、または前記封印用キャップの一部に前記薬剤収容袋を臨む透明部分が設けられることを特徴とする請求項１〜７のいずれか１項に記載の封印容器。
【請求項９】
前記容器の内側面には、前記凹部の内方に突出する侵入防止部が設けられ、
前記侵入防止部は、前記凹部の内方に突出しかつ前記封印用キャップの縁部に沿う内側延長部と、該内側延長部の端部から前記縁部の内側面に向けて突出して外部からの棒状体の侵入を規制する規制部とを有し、
前記侵入防止部の内側延長部上に、前記薬剤収容袋が設置されることを特徴とする請求項１に記載の封印容器。
【請求項１０】
前記侵入防止部の規制部の先端は、前記封印用キャップの縁部の内側面に形成された嵌合凹部内に嵌合されることを特徴とする請求項９に記載の封印容器。
【発明の詳細な説明】
【技術分野】
【０００１】
本発明は、電子部品（ＲＯＭ，ＣＰＵ）及び該電子部品を搭載する基板といった重要部材を内部に収容する封印容器に係り、封印用キャップを外して開封しようとする不正を防止することができる技術に関する。
【背景技術】
【０００２】
パチンコ等の遊技機、産業用ロボット、白物家電などの電子機器には、これらの動作を制御する電子部品（ＲＯＭ，ＣＰＵ）を搭載した基板が収容される。このような基板が不正な改造を防止して電子器機器の機能を保証するため、または内部に組み込まれている情報を保護するため、この基板を密封可能な基板ケースに収納することが行われている。
【０００３】
例えば、特許文献１にはこのような基板ケースを密封するために使用されるねじについての技術が開示されている。
この基板ケースは、皿状部材に連結部が一体成型されると共に、キャップ状部材に有底円筒状部が一体成型される。これら有底円筒状部と連結部は、該有底円筒状部内に頭部を臨ませたビスにより固定される。
【０００４】
また、有底円筒状部には、封印蓋が嵌入される。この封印蓋は、有底円筒状部に挿入される軸部の外周面に、突環部が突出形成される。突環部には、有底円筒状部の内周面に当接する周面部が形成されるとともに、該突環部における有底円筒状部に対する嵌入方向の前側端縁に、周面部から嵌入方向の前側に向かうにつれて軸中心に向けて傾斜するテーパ面が形成される。そして、封印蓋を有底円筒状部に嵌入すると、突環部が有底円筒状部の内周面に食い込んで抜け止めされる。
【先行技術文献】
【特許文献】
【０００５】
【特許文献１】特開２００９−２３２８７４号公報
【発明の概要】
【発明が解決しようとする課題】
【０００６】
ところで、上記特許文献１に示される基板ケースでは、封印蓋を有底円筒状部に嵌入した際に、突環部が有底円筒状部の内周面に食い込んで抜け止めされる構成であるが、有底円筒状部への封印蓋の嵌入が緩い場合には、簡単に外れる恐れがある。
このとき、上記特許文献１では、封印蓋が外れた状態で内部基板の不正改造がなされてしまい、その後で、該封印蓋を元の状態に戻したとしても、不正開封の痕跡が残らないことがあり、不正開封の発見が遅れてしまうという問題があった。
【０００７】
本発明は、前述した課題を解決するためになされたものであり、その目的は、簡易な構成により、封印用キャップとなる封印蓋の不正開封した場合の痕跡を確実に残し、不正開封の発見を早期かつ確実に行うことができる封印容器を提供することにある。
【課題を解決するための手段】
【０００８】
上記課題を解決するために、この発明は以下の手段を提案している。すなわち、本発明は、互いに重ねられる上容器と下容器との間に収容空間を形成する容器と、互いに重なる上容器と下容器のいずれか一方を貫通する貫通部を経由して、これら両容器を連結する封印用ねじと、前記貫通部内の前記封印用ねじの頭部を臨むように、前記上容器と下容器のいずれか一方に形成された凹部と、該凹部に挿入されて前記上容器または下容器に連結され、前記貫通部内の前記封印用ねじを覆う封印用キャップと、を具備し、該封印用キャップの胴体または縁部と前記封印用ねじの頭部とを結ぶ直線と交差する位置に、混合により発熱する薬剤を収容する薬剤収容袋を複数設け、前記封印用キャップを、前記薬剤の混合で軟化する材料により形成することを特徴とする。
【発明の効果】
【０００９】
本発明によれば、封印用キャップの胴体部または縁部と、封印用ねじの頭部とを結ぶ直線と交差する位置に、薬剤の混合により発熱する薬剤収容袋を複数設けるとともに、該封印用キャップを、前記薬剤の混合で軟化する材料により形成したので、前記直線に沿ってドライバ等の棒状体工具が不正に挿入された際に、複数の薬剤収容袋を突き破り、各薬剤収容袋内の薬剤が混合される。
そして、薬剤収容袋内の薬剤が混合されて発熱反応が生じることにより、該薬剤収容袋の周囲の封印用キャップが軟化及び変形し、この状態を見ることにより、封印用キャップの不正開封が行われたことを管理者が認識することができる。
【００１０】
すなわち、本発明では、不正開封がなされた場合に、封印用キャップを軟化及び変形させることで、該封印用キャップを不正開封した場合の痕跡を確実に残し、当該不正開封の発見を早期かつ確実に行うことができる。
さらに、本発明では、封印用キャップに薬剤収容袋を複数設け、かつ該封印用キャップを薬剤の混合により発生する熱で軟化する材料により形成するという簡易な構成により、上述した、封印用キャップとなる封印蓋の不正開封した場合の痕跡を確実に残し、不正開封の発見を早期かつ確実に行うことができる。
【図面の簡単な説明】
【００１１】
【図１】本発明に係る封印容器を示す断面図である。
【図２】第１実施形態に係る封印容器の外観図である。
【図３】第１実施形態に係る封印容器を上方から見た分解斜視図である。
【図４】第１実施形態に係る封印容器を下方から見た分解斜視図である。
【図５】第１実施形態に係る封印容器の断面図であって、（ａ）封止状態にある封印容器、（ｂ）工具が挿入されて変形した封印容器である。
【図６】第１実施形態に係る封印用キャップの断面図である。
【図７】第２実施形態に係る封印容器を上方から見た分解斜視図である。
【図８】第２実施形態に係る封印容器を下方から見た分解斜視図である。
【図９】第２実施形態に係る封印用キャップの断面図である。
【図１０】第２実施形態に係る封印用キャップの変形例を示す断面図である。
【図１１】第３実施形態に係る封印容器を上方から見た分解斜視図である。
【図１２】第３実施形態に係る封印容器を下方から見た分解斜視図である。
【図１３】第３実施形態に係る封印用キャップの断面図である。
【図１４】第４実施形態に係る封印用キャップの断面図である。
【発明を実施するための形態】
【００１２】
図１は、本発明に係る封印容器１００を具体的に示す断面図である。
この図１において符号１で示すものは容器であって、プラスチック材料により形成された下容器となるケースベース２、上容器となるケースカバー３、これらケースを連結するための封印用ねじ（後述する）を封印する封印用キャップ４を主な構成要素としている。
ケースベース２及びケースカバー３は、中心線Оを基準として互いに重ねられることで一体化するものであり、これらの間には、電子部品（ＲＯＭ，ＣＰＵ）及び該電子部品を搭載する基板（図示略）といった重要部材が収容される収納空間５が形成されている。
【００１３】
互いに重なるケースベース２とケースカバー３には、ケースカバー３を貫通して（符号３Ａで貫通部を示す）ケースベース２の雌ねじ部６に至りねじ込まれる封印用ねじ７が設けられている。
この封印用ねじ７は頭部７Ａを有し、該頭部７Ａとねじ込まれたケースベース２との間に、ケースカバー３を挟み込むことによって、これらケースベース２及びケースカバー３を一体化させる。
また、容器１のケースカバー３には、貫通部３Ａ内にねじ込まれた封印用ねじ７の頭部７Ａを臨むように凹部８が形成され、凹部８内には封印用キャップ４が嵌め込まれる。
封印用キャップ４とケースベース２との間には、該封印用キャップ４をケースベース２に連結する連結手段１０が設けられ、さらに封印用キャップ４には、該連結手段１０に通じる隙間１４を塞ぐ封止縁部４Ｂが、胴体部４Ａと一体に設けられている。そして、このような構成により、封印用ねじ７を封印する封印用キャップ４が連結手段１０によりケースカバー３の凹部８内に固定されるとともに、該封印用キャップ４に設けられた封止縁部４Ｂによって、ドライバ等の棒状の解除工具Ｔが連結手段１０に至ることを阻止する。
【００１４】
該封印用キャップ４の胴体部４Ａ、または封止縁部４Ｂと封印用ねじ７の頭部７Ａとを結ぶ直線Ｌと交差する位置には、混合により発熱する薬剤収容袋２０（符号２０Ａ、２０Ｂで示す）が複数設けられている。これら薬剤収容袋２０は、封印用キャップ４に接するように配置されているものであって、内部には互いが混合された場合に、発熱反応が生じる物質がそれぞれ収容されている。
また、封印用キャップ４は、薬剤により発生する熱により軟化する材料（溶融温度が比較的低い材料）により形成されている。
そして、これら構成により、直線Ｌに沿ってドライバ等の棒状の解除工具Ｔが不正に挿入された際には、複数の薬剤収容袋２０を突き破り、各薬剤収容袋２０内の薬剤が混合される。その後、薬剤収容袋２０の薬剤混合により発熱反応が生じた場合には、該薬剤収容袋２０の周囲の封印用キャップ４が軟化及び変形し、不正開封の痕跡を残すことができる（封印用キャップ４の軟化、変形箇所を図１に符号４ａで示す）。
【００１５】
そして、上記のように構成された封印容器１００では、封印用キャップ４の胴体部４Ａまたは封止縁部４Ｂと、封印用ねじ７の頭部７Ａとを結ぶ直線Ｌと交差する位置に、混合により発熱する薬剤収容袋２０を複数設けるとともに、該封印用キャップ４を、薬剤の混合で軟化する材料により形成した。これにより、直線Ｌに沿ってドライバ等の解除工具Ｔが不正に挿入された際には、複数の薬剤収容袋２０を突き破り、各薬剤収容袋２０内の薬剤が混合される。
そして、上記封印容器１００では、薬剤収容袋２０内の薬剤が混合されて発熱反応が生じることにより、該薬剤収容袋２０の周囲の封印用キャップ４が軟化及び変形し、この状態を見ることにより、封印用キャップ４の不正開封が行われたことを管理者が認識することができる。
すなわち、上記封印容器１００では、不正開封がなされた場合に、封印用キャップ４を軟化及び変形させることで、該封印用キャップ４を不正開封した場合の痕跡を確実に残し、当該不正開封の発見を早期かつ確実に行うことができる。
さらに、上記封印容器１００では、封印用キャップ４に薬剤収容袋２０を複数設け、かつ該封印用キャップ４を、薬剤の混合で軟化する材料により形成するという簡易な構成により、上述した、封印用キャップ４となる封印蓋の不正開封した場合の痕跡を確実に残し、不正開封の発見を早期かつ確実に行うことができる。
【００１６】
なお、本例では、容器１の一方側であるケースカバー３に凹部８を形成し、該凹部８内から、該ケースカバー３を、容器１の他方側となるケースベース２に固定するための封印用ねじ７をねじ込むようにしたが、逆であっても良い。すなわち、ケーケースベース２に凹部８を形成し、該凹部８内から、該ケースベース２を、ケースカバー３に固定するための封印用ねじ７をねじ込むようにしても良い。
【００１７】
（第１実施形態）
本発明の第１実施形態に係る封印容器１００´について、図２〜図６を参照して説明する。
これら図２〜図６は、図１の封印容器１００をさらに具体化した図であって、図２は外観図、図３及び図４は、ケースベース２、ケースカバー３、封印用キャップ４を主な構成要素とする容器１の分解図、図５（ａ）及び（ｂ）は封印容器１００´の縦断面図、図６は封印用キャップ４を示す断面図である。
ケースベース２及びケースカバー３は中心線Ｏを基準として互いに重ねられた状態で箱形状となるものであって、その内部に、電子部品（ＲＯＭ，ＣＰＵ）及び該電子部品を搭載する基板（図示略）といった重要部材が収容される収納空間５が形成される。また、封印用キャップ４は全体が円筒状に形成されている。
なお、ケースベース２、ケースカバー３、封印用キャップ４は中心線Ｏを基準として互いに結合される。
また、封印用キャップ４は、中心線Ｏに沿う筒状の胴体部４Ａと、該胴体部４Ａの後端部に配置された円盤状の封止縁部４Ｂとが一体に設けられた構成である。
【００１８】
また、図５（ａ）に示されるように、封印用キャップ４には容器１に連結するための連結手段１０が設けられているが、該連結手段１０は、封印用キャップ４の胴体部４Ａ先端に設けられて外側に突出した係合部１１と、凹部８の周縁部に形成されて該係合部１１に係合されるスリット状の被係合部１２とを有している。また、被係合部１２は、凹部８の内周面１３の下部にて内側（中心線Ｏ側）に突出する突出形状に形成される。
【００１９】
図５及び図６に示すように、封印用キャップ４の胴体部４Ａの外周面であり、かつ封止縁部４Ｂと封印用ねじ７の頭部７Ａとを結ぶ直線Ｌと交差する位置には、混合により発熱する薬剤収容袋２０が複数（本例では２つの薬剤収容袋２０Ａ、２０Ｂが上下に重なるように）設けられており、これら薬剤収容袋２０（２０Ａ、２０Ｂ）には、解除工具Ｔが突き刺さることで互いが混合された場合に、発熱反応が生じる材料（材料Ａ、材料Ｂ）がそれぞれ収容されている。
また、図４に示されるように、これら薬剤収容袋２０（２０Ａ、２０Ｂ）は封印用キャップ４の胴体部４Ａの外面に接しかつ胴体部４Ａの外周面の周方向に沿って環状に形成されている。
【００２０】
例えば、薬剤収容袋２０Ａの材料Ａとして「水」が使用され、薬剤収容袋２０Ｂの材料Ｂとして「酸化カルシウム/アルミニウム粉末」が使用されており、これら材料Ａ、Ｂが混合された場合には、およそ９８℃まで発熱させることができる。
また、他の例では、薬剤収容袋２０Ａの材料Ａとして「水」が使用され、薬剤収容袋２０Ｂの材料Ｂとして「生石灰」が使用されており、これら材料Ａ、Ｂが混合された場合には、およそ８０〜９０℃まで発熱させることができる。
また、他の例では、薬剤収容袋２０Ａの材料Ａとして「水」が使用され、薬剤収容袋２０Ｂの材料Ｂとして「鉄粉」が使用されており、これら材料Ａ、Ｂが酸素存在下で混合された場合には、およそ６３℃まで発熱させることができる。
【００２１】
また、封印用キャップ４は、薬剤収容袋２０内の材料混合により発生する熱により軟化する材料（例えば、耐熱温度が７０〜９０℃のポリスチレン、耐熱温度が７０〜１００℃のＡＢＳ樹脂等の溶融温度が比較的低い材料）が適宜選択及び使用される。
【００２２】
そして、上記のような第１実施形態の封印容器１００´では、まず、中心線Ｏを基準として基板（図示略）が収容されたケースベース２に対してケースカバー３を重ね合わせて、封印用ねじ７でケースベース２及びケースカバー３を一体化して収納空間５内の基板を保護する。その後、図３〜図４に示すように、ケースカバー３に形成された凹部８へ封印用キャップ４を矢印Ａ方向に挿入するが、その際、ケースカバー３の凹部８内に形成された連結手段１０の被係合部１２に、封印用キャップ４側に位置する係合部１１を周方向に位置合わせるようにする。これにより、図１に示されるように、封印用キャップ４の係合部１１が、ケースカバー３の内周面１３と摺動した後、該挿入方向（矢印Ａ方向）に対して外方に弾性変形し、その後、被係合部１２に係合されることになる。
すなわち、封印容器１００´では、連結手段１０を構成する係合部１１と被係合部１２により、封印用キャップ４がケースカバー３に固定されて、該封印用キャップ４を容器１に結合させることができる。
【００２３】
また、上記のような第１実施形態の封印容器１００´では、封印用キャップ４の胴体部４Ａの外周面であり、かつ封止縁部４Ｂと、封印用ねじ７の頭部７Ａとを結ぶ直線Ｌと交差する位置に、混合により発熱する薬剤収容袋２０を複数（本例では、２つの薬剤収容袋２０Ａ、２０Ｂに材料Ａ、Ｂをそれぞれ収容）設けるようにした。
一方、封印用キャップ４は、薬剤により発生する熱により軟化する材料（例えば、ポリスチレン、ＡＢＳ樹脂などの溶融温度が比較的低い材料）により形成するようにした。
そして、これら構成により、図５（ａ）及び（ｂ）に示されるように、直線Ｌに沿ってドライバ等の解除工具Ｔが不正に挿入された際には、複数の薬剤収容袋２０を突き破り、各薬剤収容袋２０内の薬剤が混合され、かつ薬剤混合により発熱反応が生じた場合には、該薬剤収容袋２０に接する周囲の封印用キャップ４が軟化及び変形する（図５（ｂ）参照）。その後、管理者がこの状態を見ることにより、封印用キャップ４の不正開封が行われたことを認識することができる。
すなわち、第１実施形態の封印容器１００´では、不正開封がなされた場合に、封印用キャップ４を軟化及び変形させることで、該封印用キャップ４を不正開封した場合の痕跡を確実に残し、当該不正開封の発見を早期かつ確実に行うことができるものである。
【００２４】
さらに、第１実施形態の封印容器１００´では、封印用キャップ４に薬剤収容袋２０を複数設け、かつ該封印用キャップ４を、薬剤収容袋２０内の薬剤混合で軟化する材料により形成するという簡易な構成により、上述した、封印用キャップ４となる封印蓋の不正開封した場合の痕跡を確実に残し、不正開封の発見を早期かつ確実に行うことができる。
【００２５】
なお、上記第１実施形態では、図６に示すように、封印用キャップ４の胴体部４Ａの外周面に、混合により発熱する薬剤収容袋２０が複数（本例では２つの薬剤収容袋２０Ａ、２０Ｂが上下に重なるように）設けられているが、これら薬剤収容袋２０の個数は、中に収容される発熱材料により変わるものであり、２つに限定されるものではない。  
また、上記第１実施形態では、封印用キャップ４を不透明なプラスチック材料により形成しているが、解除工具Ｔを使って不正開封を試みようとする者を躊躇させるために、該封印用キャップ４の容器１を透明にして、薬剤収容袋２０を外部から目視できるようにしても良い。すなわち、内部の薬剤の存在を外部から視認できるように構成しておけば、不正な開封を抑止する効果を期待することができる。
また、上記開封防止機構は、容器そのものを改造することなく、封印キャップのみを改造することにより実現することができるので、既存の容器にも広く適用することができる。
【００２６】
（第２実施形態）
本発明の第２実施形態について、図７〜図９を参照して説明する。
これら図７〜図９は第２実施形態に係る封印容器１０１であって、第１実施形態に示される封印容器１００´と構成を異にするのは、薬剤収容袋２１の形状及び設置箇所である。
【００２７】
図７及び図８は容器１の分解図、図９は封印用キャップ４０を示す断面図であり、これらの図面を参照して分かるように、薬剤収容袋２１は、封印用キャップ４０に中空に形成された胴体部４０Ａの内部であり、かつ封止縁部４０Ｂと封印用ねじ７の頭部７Ａとを結ぶ直線Ｌと交差する位置に配置されている。
また、薬剤収容袋２１は、２つの薬剤収容袋２１Ａ、２１Ｂを有し、１つの薬剤収容袋２１Ａを覆う外側に、もう１つの薬剤収容袋２１Ｂが配置される二重袋構造となっている。
内側の薬剤収容袋２１Ａには、第１実施形態で示した材料Ａが収容され、外側の薬剤収容袋２１Ｂには材料Ａを包むように材料Ｂが収容されており、解除工具Ｔで、（封印用キャップ４０の胴体部４０Ａを経由して）これら薬剤収容袋２１Ａ、２１Ｂが突き破られた場合に、これら薬剤収容袋２１Ａ、２１Ｂ内の材料Ａ、Ｂが混合されて発熱反応が生じる。なお、材料Ａ、Ｂの具体例は第１実施形態と同様である。
【００２８】
一方、封印用キャップ４０は、薬剤収容袋２１（２１Ａ、２１Ｂ）内の材料混合により発生する熱により軟化する材料（例えば、耐熱温度が７０〜９０℃のポリスチレン、耐熱温度が７０〜１００℃のＡＢＳ樹脂等の溶融温度が比較的低い材料）が適宜選択及び使用されるが、この点は第１実施形態と同様である。
また、薬剤収容袋２１（２１Ａ、２１Ｂ）が収容される封印用キャップ４０の胴体部４０Ａは、形状が保持できる程度の薄厚（例えば、１ｍｍ以下の厚さ）に形成されており、これにより、薬剤収容袋２１内の材料混合による発熱反応で容易に軟化できるように構成されている。
また、封印用キャップ４０の胴体部４０Ａは薄厚に形成されることで、解除工具Ｔによる薬剤収容袋２１（２１Ａ、２１Ｂ）に至る前の胴体部４０Ａの突き抜けを容易にしている。
【００２９】
以上詳細に説明したように第２実施形態の封印容器１０１では、封印用キャップ４０の胴体部４０Ａ内の中空部であり、かつ封止縁部４０Ｂと、封印用ねじ７の頭部７Ａとを結ぶ直線Ｌと交差する位置に、混合により発熱する薬剤収容袋２１を複数設ける（本例では、薬剤収容袋２１Ｂ内に薬剤収容袋２１Ａに収容し、各袋２１Ａ、２１Ｂ内に材料Ａ、Ｂを収容する）ようにした。
一方、封印用キャップ４０は、薬剤により発生する熱により軟化する材料（例えば、ポリスチレン、ＡＢＳ樹脂などの溶融温度が比較的低い材料）により形成するようにした。
そして、これら構成により、直線Ｌに沿ってドライバ等の解除工具Ｔが不正に挿入された際には、封印用キャップ４０の胴体部４０Ａとともに、複数の薬剤収容袋２１を突き破り、各薬剤収容袋２１（２１Ａ、２１Ｂ）内の薬剤（材料Ａ、Ｂ）が混合される。
薬剤混合により発熱反応が生じた場合には、該薬剤収容袋２１に接する周囲の封印用キャップ４０が軟化及び変形し、管理者がこの状態を見ることにより、封印用キャップ４０の不正開封が行われたことを認識することができる。
すなわち、第２実施形態の封印容器１０１では、不正開封がなされた場合に、封印用キャップ４０を軟化及び変形させることで、該封印用キャップ４０を不正開封した場合の痕跡を確実に残し、当該不正開封の発見を早期かつ確実に行うことができるものである。
【００３０】
また、薬剤収容袋２１が収容される封印用キャップ４０の胴体部４０Ａは、形状が保持できる程度の薄厚（例えば、１ｍｍ以下の厚さ）に形成されているので、薬剤収容袋２１内の材料混合による発熱反応で容易に軟化し、かつ解除工具Ｔによる薬剤収容袋２１に至る前の該胴体部４０Ａの突き抜けを容易にすることができる。
【００３１】
なお、上記第２実施形態では、図９に示すように、封印用キャップ４０の胴体部４０Ａ内に、混合により発熱する薬剤収容袋２１が複数（本例では２つの薬剤収容袋２１Ａ、２１Ｂが二重袋となるように）設けられているが、これら薬剤収容袋２１の個数は、中に収容される発熱材料に変わるものであり、２つに限定されるものではない。
また、上記第２実施形態では、封印用キャップ４０を不透明なプラスチック材料により形成しているが、解除工具Ｔを使って不正開封を試みようとする者を躊躇させるために、該封印用キャップ４０及び／または周囲の容器１を透明にして、薬剤収容袋２１を外部から目視できるようにしても良い。
【００３２】
また、上記第２実施形態では、封印用キャップ４０の胴体部４０Ａ内に薬剤収容袋２１（２１Ａ、２１Ｂ）を収容した。このときの封印用キャップ４０の胴体部４０Ａ内部への薬剤収容袋２１の取り付け方式は、薬剤収容袋２１を胴体部４０Ａに接着しても良いし、または薬剤収容袋２１を胴体部４０Ａの内径よりもやや大きく形成し、該薬剤収容袋２１を胴体部４０Ａに押し込み、摩擦力により該薬剤収容袋２１を保持しても良い。
また、これに限定されず、図１０に示すように、薬剤収容袋２１の外側に係止突起２２を設け、これら係止突起２２を、封印用キャップ４０の胴体部４０Ａ内に形成された係止段部２３に嵌合させることで、該薬剤収容袋２１を胴体部４０Ａ内に保持しても良い。
【００３３】
（第３実施形態）
本発明の第３実施形態について、図１１〜図１３を参照して説明する。
これら図１１〜図１３は第３実施形態に係る封印容器１０２であって、第２実施形態に示される封印容器１０１と構成を異にするのは、胴体部４１Ａ及び封止縁部４１Ｂからなる封印用キャップ４１の胴体部形状である。
【００３４】
図１１及び図１２は容器１の分解図、図１３は封印用キャップ４１の断面図であり、これらの図面を参照して分かるように、封印用キャップ４１の胴体部４１Ａには、その長さ方向に沿って複数のスリット３０が形成されている。
これらスリット３０は、封印用キャップ４１の胴体部４１Ａの使用材料を少なくすることができるので、薬剤収容袋２１内の材料混合による発熱反応で該胴体部４１Ａの軟化を容易にし、かつ解除工具Ｔによる薬剤収容袋２１（２１Ａ、２１Ｂ）に至る前の該胴体部４１Ａの通過または突き抜けを容易にすることができる。
【００３５】
以上詳細に説明したように第３実施形態に示される封印容器１０２によれば、直線Ｌに沿ってドライバ等の解除工具Ｔが不正に挿入された際には、封印用キャップ４１の胴体部４１Ａに形成されたスリット３０を経由して、複数の薬剤収容袋２１を突き破り、各薬剤収容袋２１（２１Ａ、２１Ｂ）内の薬剤（材料Ａ、Ｂ）が混合される。
そして、薬剤混合により発熱反応が生じた場合には、該薬剤収容袋２１に接する周囲の封印用キャップ４１が軟化及び変形し、管理者がこの状態を見ることにより、封印用キャップ４１の不正開封が行われたことを認識することができる。
すなわち、第３実施形態の封印容器１０２では、不正開封がなされた場合に、封印用キャップ４１を軟化及び変形させることで、該封印用キャップ４１を不正開封した場合の痕跡を確実に残し、当該不正開封の発見を早期かつ確実に行うことができる。
【００３６】
また、第３実施形態に示される封印容器１０２では、封印用キャップ４１の胴体部４１Ａにスリット３０を設けたので、封印用キャップ４１の胴体部４１Ａの使用材料を少なくすることができ、薬剤収容袋２１内の材料混合による発熱反応で該胴体部４１Ａの軟化を容易にし、かつ解除工具Ｔによる薬剤収容袋２１Ａ、２１Ｂに至る前の該胴体部４１Ａの通過または突き抜けを容易にすることができる。
なお、第３実施形態においても、第２実施形態で述べたように、封印用キャップ４１を透明なプラスチック材料により形成することで、スリット３０を通じた薬剤収容袋２１の目視を容易にして、解除工具Ｔを使って不正開封を試みようとする者を躊躇させるようにしても良い。
【００３７】
（第４実施形態）
本発明の第４実施形態について、図１４を参照して説明する。
これら図１４は第３実施形態に係る封印容器１０３であって、第１〜第３実施形態に示される封印容器１００〜１０２と構成を異にするのは、薬剤（材料Ａ、材料Ｂ）が収容される薬剤収容袋２４の位置である。
【００３８】
具体的には、容器１のケースカバー３の内側面には、凹部８の内方に突出する侵入防止部５０が設けられている。
侵入防止部５０は、ケースカバー３の内側面から凹部８の内方に突出しかつ封印用キャップ４の封止縁部４Ｂに沿う内側延長部５１と、該内側延長部５１の端部から封止縁部４Ｂの内側面に向けて突出して外部からの解除工具Ｔの侵入を規制する規制部５２とを有し、侵入防止部５０の内側延長部５１上に、複数の薬剤収容袋２４が設置されている。
また、侵入防止部５０の規制部５２の先端は、封印用キャップ４の封止縁部４Ｂの内側面に形成された嵌合凹部５３内に嵌合され、このような規制部５２の存在により、解除工具Ｔが挿入された場合、該解除工具Ｔが封印用ねじ７に至ることを規制することができる。
【００３９】
薬剤収容袋２４は、侵入防止部５０の内側延長部５１上に、２つの薬剤収容袋２４Ａ、２４Ｂが上下に重なるように配置されたものであって、該封印用キャップ４の封止縁部４Ｂと、封印用ねじ７の頭部７Ａとを結ぶ直線Ｌと交差する位置に配置されている。
また、複数の薬剤収容袋２４（２４Ａ、２４Ｂ）には、第１〜第３実施形態で示されたように、互いが混合された場合に、発熱反応が生じる材料（材料Ａ、材料Ｂ）がそれぞれ収容されている。
また、封印用キャップ４は、薬剤収容袋２４内の材料混合により発生する熱により軟化する材料が適宜選択及び使用される。
【００４０】
以上のような構成により、直線Ｌに沿ってドライバ等の解除工具Ｔが不正に挿入された際には、複数の薬剤収容袋２４（２４Ａ、２４Ｂ）を突き破り、各薬剤収容袋２４内の薬剤が混合され、かつ薬剤混合により発熱反応が生じた場合には、該薬剤収容袋２０に接する周囲の封印用キャップ４が軟化及び変形する。そして、管理者がこの状態を見ることにより、封印用キャップ４の不正開封が行われたことを認識することができる。
また、侵入防止部５０の規制部５２の先端は、封印用キャップ４の封止縁部４Ｂの内側面に形成された嵌合凹部５３内に嵌合され、このような規制部５２の存在により、解除工具Ｔが直線Ｌに沿って挿入された場合に、解除工具Ｔが封印用ねじ７に至ることを確実に規制することもできる。
【００４１】
なお、第４実施形態では、図１４に示すように、封印用キャップ４の胴体部４Ａの外周面に、混合により発熱する薬剤収容袋２４が複数（本例では２つの薬剤収容袋２４（２４Ａ、２４Ｂ）が上下に重なるように）設けられているが、これら薬剤収容袋２４の個数は、中に収容される発熱材料に変わるものであり、２つに限定されるものではない。
また、上容器と下容器とを連結する封印用ねじは、一方の容器を貫通して他方に至る長さを有するものであればその径路、具体的形状が上記実施形態に限定されるものではない。
また、第４実施形態では、封印用キャップ４を不透明なプラスチック材料により形成しているが、解除工具Ｔを使って不正開封を試みようとする者を躊躇させるために、該封印用キャップ４を透明にして、薬剤収容袋２４を外から目視できるようにしても良い。
【００４２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４３】
本発明は、電子部品（ＲＯＭ，ＣＰＵ）及び該電子部品を搭載する基板といった重要部材を内部に収容する封印容器に係り、封印用キャップを外して開封しようとする不正を防止することができる技術に関する。
【符号の説明】
【００４４】
１  容器
２  ベースカバー（下容器）
３  ケースカバー（上容器）
４  封印用キャップ
４Ａ  胴体部
４Ｂ  封止縁部
５  収容空間
６  雌ねじ部
７  封印用ねじ
８  凹部
２０（２０Ａ、２０Ｂ）  薬剤収容袋
２１（２１Ａ、２１Ｂ）  薬剤収容袋
２２  係止突起
２３  係止段部
２４（２４Ａ、２４Ｂ）  薬剤収容袋
３０  スリット
４０  封印用キャップ
４０Ａ  胴体部
４０Ｂ  封止縁部
４１  封印用キャップ
４１Ａ  胴体部
４１Ｂ  封止縁部
５０  侵入防止部
５１  内側延長部
５２  規制部
１００  封印容器
１００´封印容器
１０１  封印容器
１０２  封印容器
１０３  封印容器
【図１】
0006436478.tif 000002
【図２】
0006436478.tif 000003
【図３】
0006436478.tif 000004
【図４】
0006436478.tif 000005
【図５】
0006436478.tif 000006
【図６】
0006436478.tif 000007
【図７】
0006436478.tif 000008
【図８】
0006436478.tif 000009
【図９】
0006436478.tif 000010
【図１０】
0006436478.tif 000011
【図１１】
0006436478.tif 000012
【図１２】
0006436478.tif 000013
【図１３】
0006436478.tif 000014
【図１４】
0006436478.tif 000015